(57)【特許請求の範囲】
【請求項１】
複数枚のガラス板材を建築物の開口部に取り付けて壁面を形成するために、前記建築物の構造体に前記開口部の上下方向に配設される柱状の方立本体の所定の高さ位置に固定され、前記方立本体を挟んで隣り合って配置される二つのガラス板材を支持するガラス板材支持用部材において、
前記支持用部材は、前記方立本体に固定される固定部を有する基台部と、前記二つのガラス板材の一方の左下隅部が載置される第１の支持部と、他方のガラス板材の右下隅部が載置される第２の支持部と、これら二つの支持部を連結するロッキング部材と、を備え、
前記ロッキング部材は、前記支持用部材の中心線を挟んで左右対称位置において、前記二つの支持部をそれぞれ前記開口面方向に沿って回動可能な状態に軸支すると共に、前記二つのガラス板材を支持する際の基準位置にある状態で、前記二つの軸支部がそれぞれ前記基台部に下方から支承されて保持されており、前記二つの支持部の軸支部のうちの一方の軸支部を回転中心として、他方の軸支部側を回動可能な状態で前記基台部に設置されていることを特徴とするガラス板材支持用部材。
【請求項２】
前記基台部は、所定の前記二つの支持部が、前記二つのガラス板材を支持する際の基準位置にある状態で、前記二つの支持部を下方から支承する載置台を更に備えていることを特徴とする請求項１に記載のガラス板材支持用部材。
【発明の詳細な説明】
【０００１】
【発明の属する技術分野】
本発明は、例えばガラス張りカーテンウォールを構成する際に用いられるガラスや板材などを支持するための方立機構に関するものである。
【０００２】
【従来の技術】
近年、建築物の開放感や採光性の向上、あるいは外観デザイン等により、ビルや公共施設のホールなどの壁面をガラスだけで構成するガラス張りカーテンウォールが普及してる。このようなガラス張りカーテンウォールは、建築物の開口部を複数枚のガラス板材で覆うものであるが、各ガラス板材は専用の支持部材を用いた方立機構で支持される。
【０００３】
従来から用いられている方立機構としては、開口部の天井部と床部とにそれぞれ上枠、下枠を取り付け、この上下枠間に亘って配設される柱状の方立本体を、ガラス板材の幅相当の間隔毎に横方向へ複数本設置し、各方立本体の上下方向に、ガラス板材の高さ相当の間隔毎に複数個の支持部材を取り付け、各支持部材で隣り合うガラス板材の下端隅部を左右各々に支持するものが一般的である。
【０００４】
この方立機構では、一枚のガラス板材につき、下端両側が左右の方立本体に配された支持部材上に載置されて支持される構成となっており、また通常は、ガラス板材の上端両側は、上段のガラス板材の下端両側を支持するために左右上方に位置する支持部材の下部で係止されている。
【０００５】
このようなカーテンウォールでは、各ガラス板材が外気に晒されており、強風による風圧や、また地震による振動などの外力作用を直接受けてしまい、ガラス板材に上下動や回転等の変動、所謂層間変位を生じせしめる。したがって、方立機構は、このような層間変位を生じてもガラス板材を安定に支持できるものでなければならない。
【０００６】
そこで、支持部材のガラス載置部がガラスの層間変位に伴って移動できる構成のものが考えられている。例えば、特許第２９２２５１０号には、層間変位が生じた時、ガラス載置部が所定支持位置から上側の範囲で上下方向へ移動可能としたものが開示されている。
【０００７】
【発明が解決しようとする課題】
しかしながら、ガラス板材の層間変位は、垂直方向への上下動だけでなく、回転移動することもある。この場合、上記の如き従来の方立機構では、水平方向に沿ったガラス載置部に対してガラス板材の隅部の下端辺は傾き、載置部との当接支持領域が小さくなってガラスに局所的な応力が作用する。この局部的負荷がガラス破損の原因となり得る。
【０００８】
従って、ガラス張りカーテンウォールの安定性、安全性を長期にわたって維持するには、より層間変位に十分に適応して常に安定してガラス板材を支持できる方立機構が望まれる。
【０００９】
本発明の目的は、上記問題点に鑑み、ガラス板材の様々な層間変位に対応して、ガラス板材に局所的負荷を生じせしめることなく常に安定で安全にガラス板材を支持できるガラス板材支持用部材を提供することにある。特に、回転方向（又は横方向やねじれ方向等の複雑な）の変位にも対応できる方立て機構の支持部材を提供することも本発明の重要な目的である。例えば、ガラス板材に様々な層間変位が生じてもガラス板材に対する支持面の当接領域が基準状態からほとんど減少することなく安定に支持できるガラス板材支持用部材を提供することも本発明の目的である。
【００１０】
【課題を解決するための手段】
上記目的を達成するため、請求項１に記載の発明では、複数枚のガラス板材を建築物の開口部に取り付けて壁面を形成するために、前記建築物の構造体に前記開口部の上下方向に配設される柱状の方立本体の所定の高さ位置に固定され、前記方立本体を挟んで隣り合って配置される二つのガラス板材を支持するガラス板材支持用部材において、前記支持用部材は、前記方立本体に固定される固定部を有する基台部と、前記二つのガラス板材の一方の左下隅部が載置される第１の支持部と、他方のガラス板材の右下隅部が載置される第２の支持部と、これら二つの支持部を連結するロッキング部材と、を備え、前記ロッキング部材は、前記支持用部材の中心線を挟んで左右対称位置において、前記二つの支持部をそれぞれ前記開口面方向に沿って回動可能な状態に軸支すると共に、前記二つのガラス板材を支持する際の基準位置にある状態で、前記二つの軸支部がそれぞれ前記基台部に下方から支承されて保持されており、前記二つの支持部の軸支部のうちの一方の軸支部を回転中心として、他方の軸支部側を回動可能な状態で前記基台部に設置されていることを特徴とするものである。
【００１１】
また、請求項２に記載の発明に係るガラス板材支持用部材は、請求項１に記載のガラス板材支持用部材において、前記基台部が、所定の前記二つの支持部が、前記二つのガラス板材を支持する際の基準位置にある状態で、前記二つの支持部を下方から支承する載置台を更に備えていることを特徴とするものである。
【００１２】
本発明の支持用部材は、柱状の方立本体に固定されて使用されるものであり、方立本体部を中心に左右に配されるガラス板材の各下端隅部を支持するものであって、方立本体に固定される固定部を備えた基台部に、第１の支持部と第２の支持部とをロッキング部材を介してそれぞれ回動可能に設けたものであり、第１の支持部（例えば右側の支持部）で右側に配されるガラス板材の左下隅部を支持し、第２の支持部（例えば左側の支持部）で左側のガラス板材の右下隅部を支持するものである。この支持部は、ガラス板材を安定支持するために、ガラス板材の下隅部を前後から狭持するものであることが好ましい。
【００１３】
本発明においては、これら第１と第２の支持部とが、それぞれ前記建築物の開口面上で回動可能にロッキング部材に軸支され、それぞれの配設位置は互いに中心部から対称な位置に配置されている。これは、左右の支持部で均等に支持力が働くようにするためである。
【００１４】
そして、支持部自体は、回動可能に軸支されており、横方向への揺動移動が可能である。また各々の支持部を軸支しているロッキング部材自体が、各支持部の二つの軸支部のそれぞれを支点にして回動可能に構成されており、一方の軸支部を回動中心にして、他方の軸支部側が（ロッキング部材自体を腕として）回動可能である。
【００１５】
従って、例えばロッキング部材の右側の支持部を軸支する軸支部を支点に回動する場合には、ロッキング部材の左側の支持部側が、ロッキング部材自体を腕のようにして時計回り方向に回動し、それに連動して左側の支持部も時計回り方向に回動することとなる。逆に、ロッキング部材の左側の軸支部を支点にする場合には、右側の軸支部側がロッキング部材を腕のようにして反時計回り方向に回動し、それに連動して右側の支持部も反時計回り方向に回動する。
【００１６】
即ち、軸支部自体がロッキング部材に（同時に支持部にも）対して回動可能に軸支されており、さらにロッキング部材を時計方向（又は反時計方向）に、いわばロッキング部材を腕とするクランク機構のようにして回動できるので、横方向の動きや上下方向の動きのみならず、これらの複合的な移動を許容することができるものである。
【００１７】
このような本発明のガラス板材支持用部材によれば、例えばガラス板材に単なる上下方向の変位だけでなく前記開口面方向に沿った時計回りあるいは反時計回りの回転方向の変位が生じた場合においても、第１と第２支持部は、支持部自体の軸支部を中心とした回動とクランク機構のようなロッキング部材の回動によって、二つのガラス板材の回転変位に伴ってそれぞれ生じた右側ガラス板材の左下隅部の移動および左側ガラス下材の右下隅部の移動を許容して、各支持すべきガラス板材の下隅部と一体的に回転移動することができる。従って、第１と第２の支持部のガラス支持面は、ガラス板材の回転に伴って傾いた下隅部の下端辺に対する当接領域をほとんど小さくすることなく良好な当接支持状態を維持できるため、ガラス板材への局部的負荷を生じせしめることなく常に安定的で安全にガラス板材を支持することができる。
【００１８】
このように、第１と第２の支持部のガラス板材に応じた変位は軸回転機構によるものであるため、変位動作は摩擦が少なく滑らかであり、変位運動による支軸部への負担は小さい。またこれら二つの支持部は、それ自身の軸回転とクランク機構のようなロッキング部材の回動作によって地震の際にも左右にスイングして振動や衝撃を吸収でき、ガラス板材と一体的に揺動できるので、ガラス部材が地震の振動で支持面上で飛びはねて衝突したりすることによる破損発生の危険は回避される。
【００１９】
なお、例えばガラス部材に水平横方向へ変位させようとする外力が作用した場合には、ガラス板材が支持面上をスライド移動して支持領域が小さくなってしまわないように、支持部をガラス板材の横水平移動を下部両側から規制できる構成とすればよい。
【００２０】
例えば、ガラス下端辺が載置される支持面に対して直行する縦面をガラス側面のストッパとしてさらに設ければ、支持部は支持面とこの縦面とでガラス下隅部にＬ字状に当接支持することができ、左右両側の支持部でガラス板材の水平横方向の移動が規制できる。
【００２１】
また、請求項２に記載したように、前記二つの支持部が二つのガラス板材を支持する基準位置にある際に、これら二つの支持部を下方から支承する載置台を基台部に設けておけば、層間変位の生じていない平常時には、第１と第２の支持部をロッキング部材に軸支させる軸部に荷重が集中することなく、ガラス板材の自重をこの載置台によってより安定に支持できる。
【００２２】
なお、本発明によるガラス板材支持用部材は、ガラス張りカーテンウォール用の方立機構に限らず、板材や各種パネル等の支持部材に利用できることは言うまでもない。
【００２３】
【発明の実施の形態】
本発明の一実施形態として、ガラス張りカーテンウォールを構成するための方立機構に用いられるガラス板材支持用部材を図１〜図４に示す。本実施形態によるガラス板材支持用部材は、該部材が設置される方立本体およびその機構の基本的な構成は従来と同様のものとし、開口部の天井部と床部とにそれぞれ上枠、下枠を取り付け、この上下枠間に亘る柱状の方立本体を、ガラス板材の幅相当の間隔毎に複数本設置し、各方立本体の上下方向に、ガラス板材の高さ相当の間隔毎に複数個の本ガラス板材支持用部材を取り付け、各ガラス板材支持用部材で隣り合うガラス板材の下端隅部を左右に支持するものである。
【００２４】
ここでは説明の簡便のため、二つのガラス板材を左右に支持するガラス板材支持用部材一つにつきその機構を示すものとする。図１（ａ）はガラス板材支持用部材の部品構成を示す説明図、（ｂ）は部品組み立て時のガラス板材支持用部材の概略斜視図、（ｃ）は方立本体に固定された本ガラス板材支持用部材を屋外側から見た概略正面図、（ｄ）は本ガラス板材支持用部材の概略側面図である。
【００２５】
本ガラス板材支持用部材２は、方立本体１の所定高さ位置にボルト止めなどで固定される固定部（２０，２１）を有する基台部３と、二つのガラス板材の一方の左下隅部が載置される第１の支持部４ａと他方のガラス板材の右下隅部が載置される第２の支持部４ｂと、これら第１と第２の支持部（４ａ，４ｂ）を連結するロッキング部材１０とから主に構成される。
【００２６】
ロッキング部材１０は、第１と第２の支持部（４ａ，４ｂ）を互いに支持用部材２の中心部から対称な位置でそれぞれ前記開口面方向に沿って回動可能に軸支した状態で、基台部３に設置されているものであり、第１と第２の支持部（４ａ，４ｂ）同士を互いに均等な支持力が働くように連結すると共に、これら支持部を基台部３に連結するものである。
【００２７】
具体的には、基台部３の屋外側に設けられた溝部９にロッキング部材１０の下方部分が嵌合して設置されており、上方領域に支持用部材２の中心線を挟んで左右対称位置において第１の支持部４ａの支軸５ａ及び第２の支持部４ｂの支軸５ｂを軸回転可能に支える軸受（１１ａ，１１ｂ）を設けた軸支部（１２ａ，１２ｂ）が形成されている。
【００２８】
これら軸支部（１２ａ，１２ｂ）は、基台部３の前記溝部９の屋外側上端縁に形成された略半円形凹状の支承部（８ａ，８ｂ）に嵌って支承される略円柱形状を有しており、図２に示すように、支承部（８ａ，８ｂ）の面上を転がり滑って一方の軸支部（１２ａ又は１２ｂ）を回転中心として他方の軸支部（１２ｂ又は１２ａ）側が支承部（８ａ，８ｂ）から上方向へ回動可能となっている。
【００２９】
また、第１の支持部４ａは二つのガラス板材の一方のガラス板材Ｇａの左下隅部を、第２の支持部４ｂは他方のガラス板材Ｇｂの右下隅部を支持するものであり、ガラス板材載置部（６ａ，６ｂ）は、それぞれ支持すべきガラス板材の隅部下端辺が載置される支持面（６ｘａ，６ｘｂ）を有し、その前後からガラス板材を狭持できるように側断面形状が上向きコノ字状となっている。なお、本実施形態では、第１および第２の支持部（４ａ，４ｂ）は、それぞれ軸支部（１２ａ，１２ｂ）から支持面（６ｘａ，６ｘｂ）迄に図示のように所定の間隔を有している。即ち、支持面（６ｘａ，６ｘｂ）部分は、軸支部（１２ａ，１２ｂ）から回動可能に垂下された状態となっている。
【００３０】
また、各載置部（６ａ，６ｂ）の基台部３中心寄りには、支持面（６ｘａ，６ｘｂ）と直交する縦面（６ｙａ，６ｙｂ）が更に設けられており、ガラス板材の水平横方向の移動を規制するストッパとして機能する。
【００３１】
またこれら第１および第２の支持部（４ａ，４ｂ）は、載置部（６ａ，６ｂ）の下部に側断面下向きコノ字形状の係止部（７ａ，７ｂ）が設けられており、下段側の左右二つのガラス板材Ｇの左上端隅部および右上端隅部がそれぞれ嵌め入れられてこれらを前後から挟持し係止するものである。
【００３２】
以上のような第１および第２の支持部（４ａ，４ｂ）は、各支軸（５ａ，５ｂ）によってそれぞれロッキング部材１０の対応する軸支部（１２ａ，１２ｂ）の軸受（１１ａ，１１ｂ）に軸回動可能に軸支されている。即ち、第１及び第２の支持部（４ａ，４ｂ）自体が回動可能であり、また軸支部（１２ａ，１２ｂ）自体もロッキング部材１０および支持部に対して回動可能であると共にロッキング部材１０がそれ自身を腕とするクランク機構のように一方の軸支部（１２ａ又は１２ｂ）を回転中心として他方の軸支部（１２ｂ又は１２ａ）側を時計回りまたは反時計回りに回動できるため、第１および第２の支持部（４ａ，４ｂ）は、それぞれ横方向の揺動や上下方向の動きのみならず、これらの複合的な移動を許容することができるものである。
【００３３】
なお平常時は、図１（ｃ）の正面図に示すように、右側ガラス板材の左下隅部と左側ガラス板材Ｇｂの右下隅部は、互いに基台部３の中心部から対称な位置の第１と第２の支持部（４ａ，４ｂ）の載置部（６ａ，６ｂ）に左右均等な支持力で同じ高さ位置、即ち基準位置にて安定に支持される。このとき、同じ段の全てのガラス板材支持用部材２において第１と第２の支持部（４ａ，４ｂ）は同様に同一高さ位置で、ほぼ同一水平面に沿った支持面（６ｘａ、６ｘｂ）上にガラス板材の下隅部を載置しており、同じ段のガラス板材全てが各下端辺をほぼ同一水平線上に沿った状態で支持される。
【００３４】
また、本実施形態のガラス板材支持用部材２を用いたガラス張りカーテンウォール構成のための方立機構全体においては、上記構成を備えたガラス板材支持用部材２が各ガラス板材Ｇの四隅に配置されることとなり、各ガラス板材Ｇはその下方両側に位置する支持用部材２の支持部４によって両側下端隅部が挟持支持され、上方両側に位置する支持用部材２の係止部７によって両側上端隅部が係止され、それぞれ所定位置でカーテンウォールの構成要素として支持される。
【００３５】
このようなガラス板材Ｇに対して風圧等の外力が作用して、例えば左右のガラス板材Ｇに垂直方向の層間変位が発生した場合には、図３に示すように、左右いずれかの列のガラス板材が上方へ移動することがあるが、本実施形態の方立機構によれば、各ガラス板材は常に安定な支持状態が維持される。
【００３６】
例えば図３（ａ）に示すように右列のガラス板材が上方に移動すると、基台部３の下方のガラス板材Ｇｄの左上隅部が第１の支持部４ａを押し上げるが、第１の支持部４ａは支軸５ａを中心に回動可能であると共に、支軸５ａを支えるロッキング部材１０の一方の軸支部１２ａも他方の軸支部１２ｂを回転中心にして上方へ回動可能であるため、第１の支持部４ａはガラス板材Ｇａと一体的に上方へ移動でき、常に載置部６ａの支持面６ｘａをガラス板材Ｇａの左下隅部の下端辺に当接させたままで安定に支持することができると同時に、下方のガラス板材Ｇｄの左上隅部も第１の支持部４ａの下部の係止部７ａ内で安定に挟持される。
【００３７】
また、図３（ｂ）に示すように左列のガラス板材が上方に移動して、基台部３の下方のガラス板材Ｇｃの右上隅部が第２の支持部４ｂを押し上げても、第２の支持部４ｂが支軸５ｂを中心に軸回動可能であると共に支軸５ｂを支えるロッキング部材１０の他方の軸支部１２ｂが一方の軸支部１２ａを回転中心として上方へ回動可能であるため、第２の支持部４ｂはガラス板材Ｇｂと一体的に上方へ移動でき、載置部６ｂの支持面６ｘｂをガラス板材Ｇｂの右下隅部の下端辺に当接させたまま常に安定な支持状態を維持できると同時に、下方のガラス板材Ｇｃの右上隅部も第２の支持部４ｂの下部の係止部７ｂ内で安定に挟持される。
【００３８】
従って、層間変位により右列または左列のガラス板材が上方へ移動しても、いずれのガラス板材（Ｇａ，Ｇｂ，Ｇｃ，Ｇｄ）にも局所的な負荷は生じず、各隅部は対応する支持部の載置部あるいは係止部により安定に支持される。
【００３９】
さらに、層間変位としては、上記のような垂直方向の上下動だけでなく、各ガラス板材が前記開口面方向に沿って時計回りあるいは逆時計回りに回転変位する場合もある。この場合、ガラス板材の下隅部はそれぞれ上下方向に移動しつつガラス下端辺が水平方向に対して傾斜するという複雑な変位を生じるが、本実施形態のガラス板材用支持部材２によれば、このような支持対象のガラス板材下隅部の複雑な変位に対応して良好に安定な支持状態を維持できる。
【００４０】
例えば、図４（ａ）に示すように、ガラス板材（Ｇａ，Ｇｂ）がそれぞれ時計回り方向へ回転変位した場合には、左側のガラス板材Ｇｂの下端辺は右下隅部が下向きで（不図示の左下隅部が上方向に移動して）傾斜し、右側のガラス板材Ｇａの下端辺は左下隅部が上方向に移動して（不図示の右下隅部が下向き）で傾斜する。
【００４１】
これに対して、第２の支持部４ｂは左側ガラス板材Ｇｂの右下隅部の回転に伴って同じ角度だけ支軸５ｂおよび軸支部１２ｂを回転中心として時計回り方向に回動し、その載置部６ｂの支持面６ｘｂもガラス板材Ｇｂの右下隅部の下端辺と同じ傾斜とすることができるため、該下端辺に対する支持面６ｘｂの当接領域が小さくなることなく良好な当接支持状態は維持される。
【００４２】
一方、第１の支持部４ａは、支軸５ａおよび軸支部１２ａを回転中心とした時計回り方向への回動と、ロッキング部材１０自身の軸支部１２ａ側の他方の軸支部１２ｂを回転中心とした上方への回動とによって、右側ガラス板材Ｇａの左下隅部と同じだけ上方に移動する共に同じ角度だけ時計回り方向に回動し、その載置部６ａの支持面６ｘａもガラス板材Ｇａの左下隅部の下端辺と同じ高さ位置で同じ傾斜とすることができるため、該下端辺に対する支持面６ｘｂの当接領域が小さくなることなく良好な当接支持状態が維持される。
【００４３】
またこれとは逆に、図４（ｂ）に示すようにガラス板材（Ｇａ，Ｇｂ）がそれぞれ逆時計回り方向へ回転した場合には、第１の支持部４ａは右側ガラス板材Ｇａの左下隅部の回転に伴って同じ角度だけ支軸５ａおよび軸支部１２ａを回転中心として逆時計回り方向に回動し、その載置部６ａの支持面６ｘａもガラス板材Ｇａの左下隅部の下端辺と同じ傾斜となって、該下端辺に対する支持面６ｘａの良好な当接支持状態は維持される。
【００４４】
さらに第２の支持部４ｂは、支軸５ｂおよび軸支部１２ｂを回転中心とした逆時計回り方向への回動と、ロッキング部材１０自身の軸支部１２ｂ側の他方の軸支部１２ａを回転中心とした上方への回動とによって、左側ガラス板材Ｇｂの右下隅部と同じだけ上方に移動すると共に同じ角度だけ逆時計回り方向に回動し、その載置部６ｂの支持面６ｘｂもガラス板材Ｇｂの右下隅部の下端辺に対して、同じ高さ位置で同じ傾斜とすることができるため、該下端辺に対して良好な当接支持状態が維持される。
【００４５】
以上のように、層間変位において、各ガラス板材に時計回りあるいは逆時計回りの回転が生じても、本実施形態によるガラス板材支持用部材によれば、各支持部は支持対象のガラス板材の下隅部と一体的に移動、回動でき、常に支持部の支持面がガラス板材の隅部下端辺に良好に当接して、ガラス板材に局所的な負荷を作用させることなく安定な支持状態が維持できる。
【００４６】
また、以上のようなロッキング部材１０とその軸受（１１ａ，１１ｂ）および第１と第２の支持部（４ａ，４ｂ）とその支軸（５ａ，５ｂ）とから構成されるクランク機構のような軸回転機構によって、地震の際にも第１と第２の支持部（４ａ，４ｂ）は左右にスイングして振動や衝撃を吸収しつつ、ガラス板材と一体的に揺動できるので、ガラス部材が地震の振動で載置面上を飛びはねて衝突したりして破損を生じる危険は回避される。
【００４７】
なお本実施形態においては、基台部３の屋外側下方に載置台１３を形成しておいた。この載置台１３は、平常時に基準位置でガラス板材を支持する第１と第２の支持部（４ａ，４ｂ）の屋内側下端を下方から支承し、左右二つのガラス板材（Ｇａ，Ｇｂ）の自重を支持するものである。これによって、平常時には第１と第２の支持部（４ａ，４ｂ）を軸支するロッキング部材１０と支軸（５ａ、５ｂ）にのみ荷重をかけることなく、ガラス板材（Ｇａ，Ｇｂ）の自重をより安定的に支持することができる。
【００４８】
また、第１および第２の支持部（４ａ，４ｂ）の載置部（６ａ，６ｂ）と係止部（７ａ，７ｂ）の、それぞれガラス板材と接触する内壁面領域には、樹脂材等からなる緩衝部材としてのガラスライナーＬを設けておくことが望ましい。
【００４９】
【発明の効果】
以上説明したとおり、本発明のガラス板材支持用部材によれば、各支持部は左右のガラス板材の各種層間変位に対応して、ガラス板材に局部的応力を生じせしめることなく常に安定的に安全に支持できるという効果がある。
【図面の簡単な説明】
【図１】本発明の一実施の形態によるガラス支持用部材の概略構成図であり、（ａ）は本ガラス板材支持用部材の部品構成を示す説明図、（ｂ）は部品組み立て時のガラス板材支持用部材の概略斜視図、（ｃ）は方立本体に固定された本ガラス板材支持用部材を屋外側から見た概略正面図、（ｄ）は本ガラス板材支持用部材の概略側面図である。
【図２】本実施形態におけるガラス板材支持用部材のロッキング部材の動作を説明する正面図である。
【図３】本実施形態のガラス板材支持用部材によって支持されるガラス板材に垂直方向の層間変位が生じた際の支持部の動作を正面視にて説明する模式図である。
【図４】本実施形態のガラス板材支持用部材によって支持されるガラス板材に時計回りおよび逆時計回り方向の回転が生じた際の支持部の動作を正面視にて説明する模式図である。
【符号の説明】
Ｇａ，Ｇｂ，Ｇｃ，Ｇｄ：ガラス板材
１：方立本体
２：ガラス板材支持用部材
３：基台部
４ａ：第１の支持部
４ｂ：第２の支持部
５ａ，５ｂ：支軸
６ａ，６ｂ：載置部
６ｘａ，６ｘｂ：支持面
６ｙａ、６ｙｂ：縦面
７ａ，７ｂ：係止部
Ｌ：ガラスライナー
８ａ，８ｂ：支承部
９：溝部
１０：ロッキング部材
１１ａ，１１ｂ：軸受
１２ａ，１２ｂ：軸支部
１３：載置台
２０，２１：固定部
【図１】
0003653729.tif 000002
【図２】
0003653729.tif 000003
【図３】
0003653729.tif 000004
【図４】
0003653729.tif 000005